(57)【特許請求の範囲】
【請求項１】
車両またはその付属物に形成されたカメラ取付け孔に取付けられ、車両の周囲を撮影する車両用カメラを取付けるためのカメラ取付けブラケットであって、
前記カメラ取付け孔を介し連結される、外側取付けパネルと、内側取付けパネルと、を有し、
前記外側取付けパネルは、
前記車両用カメラを通すカメラ用開口部を有し、前記車両用カメラ取付け孔の表側周囲に配置される外側面部と、
当該外側面部裏側から延び前記車両用カメラ取付け孔を介し前記車両またはその付属物の裏側に突出し、その先端に嵌合い部が形成された突出片と、を有する一方、
前記内側取付けパネルは、
前記車両用カメラ取付け孔の裏側周囲に配置され、前記車両用カメラを収容し、前記車両用カメラを前記外側取付けパネルの前記外側面部に対し斜めに傾けた状態で、かつ、前記車両用カメラの一部を前記外側取付けパネルの前記カメラ用開口部から前記車両またはその付属物の外側に突出させた状態で固定するカメラ収容部と、
前記車両用カメラ取付け孔を介し前記外側取付けパネルの前記突出片先端の前記嵌合い部が嵌る被嵌合い部と、
を有することを特徴とする車両用カメラ取付けブラケット。
【請求項２】
請求項１に記載の車両用カメラ取付けブラケットにおいて、
前記外側取付けパネルの前記突出片は、
当該外側面部裏側の中央から偏心した位置から延びて設けられており、
前記外側取付けパネルの前記外側面部の形状は、
上下非対称とする、
ことを特徴とする車両用カメラ取付けブラケット。
【請求項３】
請求項１または請求項２記載の車両用カメラ取付けブラケットにおいて、
前記車両用カメラの後部には、ネジ孔が形成されている一方、
前記内側取付けパネルにおける前記車両用カメラ収容部の底面には、前記車両用カメラの後部の前記ネジ孔に対応する位置に、ネジ通し孔が形成されており、
前記車両用カメラは、前記ネジ通し孔を介し前記内側取付けパネルにおける前記車両用カメラ収容部の底面に固定される、
ことを特徴とする車両用カメラ取付けブラケット。
【請求項４】
請求項１〜請求項３のいずれか一の請求項に記載の車両用カメラ取付けブラケットにおいて、
前記内側取付けパネルにおける前記車両用カメラ収容部の左右の両側面には、
前記車両用カメラ取付け孔の裏側周辺に当たり、前記内側取付けパネルが車両またはその付属物の外側へ脱落することを防止する脱落防止当り部が形成されている、
ことを特徴とする車両用カメラ取付けブラケット。
【請求項５】
請求項１〜請求項４のいずれか一の請求項に記載の車両用カメラ取付けブラケットにおいて、
前記内側取付けパネルにおける前記車両用カメラ収容部の左右の両側面先端には、
前記車両用カメラ取付け孔の裏側周囲に当たり外側へ突出し、前記車両用カメラ取付け孔に対する前記内側取付けパネルの取り付け位置を案内して決める位置決め突出部が設けられている、
ことを特徴とする車両用カメラ取付けブラケット。
【請求項６】
請求項１〜請求項５のいずれか一の請求項に記載の車両用カメラ取付けブラケットにおいて、さらに、
前記車両用カメラの取付け角度を変更するため、前記内側取付けパネルにおける前記車両用カメラ収容部の底面と、前記車両用カメラの後部との間に挿入されるスペーサを有し、そのスペーサは、少なくとも、前記車両用カメラの取付け角度を変更するための傾斜面を有する、
ことを特徴とする車両用カメラ取付けブラケット。
【発明の詳細な説明】
【技術分野】
【０００１】
本発明は、車両後方等の車両周囲の状況を車内のモニタに表示して確認するため、車両やその付属物に車両周囲の状況を撮影する車両用カメラを取付けるための車両用カメラ取付けブラケットに関する。
【背景技術】
【０００２】
車両周囲の状況を車内のモニタに表示して確認するため、車両やその付属物に車両周囲の状況を撮影する車両用カメラを取付ける車両用カメラ取付けブラケットとして、例えば、車両後部のボデイや、リアガーニッシュ、バックドア（リアゲート）、バンパー等の車両後部にネジ止めして取付け、バックビューカメラを取付けるようにしたものを提案している（例えば、特許文献１，２参照。）。また、車両用カメラの取付け角度をユーザが設定して取り付ける車両用カメラ取付けブラケットも提案されている（例えば、特許文献３の図１８等参照。）。
【先行技術文献】
【特許文献】
【０００３】
【特許文献１】意匠登録第１３８７５３９号公報
【特許文献２】意匠登録第１３８７５３０号公報
【特許文献３】特開２００７−２６１５０３号公報
【発明の概要】
【発明が解決しようとする課題】
【０００４】
しかし、前述の特許文献１，２の車両用カメラ取付けブラケットでは、車両やその付属物にネジ孔を形成し、ネジ止めにより取付けるようにしているため、車両やその付属物にネジ孔を形成する必要があり、車両用カメラの取付けが面倒である、という課題がある。特に、車両用カメラ取付けブラケットの取り付ける向き（方向）が決まっている場合、ネジ孔を形成する位置を間違えると、美観等の点で問題が生じる。また、金属製の車両用カメラ取付けブラケットの場合、錆防止等の処理が必要になり、コストが高くなる、という課題もある。
【０００５】
その一方、両面テープ等により車両用カメラを取付けた場合、長期の使用や、洗車機の使用等により、車両用カメラが脱落する可能性がある、という課題もある。
【０００６】
また、前述の特許文献３の車両用カメラ取付けブラケットでは、車両用カメラの取付け時に、ユーザが車両用カメラの取付け角度を所定の取付け角度に設定する必要があるので、所定の取付け角度に正確に設定することが困難であり、車両用カメラの取付け作業が面倒である、という課題がある。特に、リアカメラの場合、駐車場の車止めやライン等が正しくリアカメラに映るように所定の取り付け角度に取り付ける必要があり、所定の取付け角度に正確に設定することが困難である。
【０００７】
そこで、本発明は、車両やその付属物に新たにネジ孔を形成することなく、車両用カメラを所定の取付け角度で簡単かつ確実に取付けることができる、車両用カメラ取付けブラケットを提供することを目的とする。
【課題を解決するための手段】
【０００８】
前記課題を解決するため、本発明の車両用カメラ取付けブラケットは、車両またはその付属物に形成されたカメラ取付け孔に取付けられ、車両の周囲を撮影する車両用カメラを取付けるためのカメラ取付けブラケットであって、前記カメラ取付け孔を介し連結される、外側取付けパネルと、内側取付けパネルと、を有し、前記外側取付けパネルは、前記車両用カメラを通すカメラ用開口部を有し、前記車両用カメラ取付け孔の表側周囲に配置される外側面部と、当該外側面部裏側から延び前記車両用カメラ取付け孔を介し前記車両またはその付属物の裏側に突出し、その先端に嵌合い部が形成された突出片と、を有する一方、前記内側取付けパネルは、前記車両用カメラ取付け孔の裏側周囲に配置され、前記車両用カメラを収容し、前記車両用カメラを前記外側取付けパネルの前記外側面部に対し斜めに傾けた状態で、かつ、前記車両用カメラの一部を前記外側取付けパネルの前記カメラ用開口部から前記車両またはその付属物の外側に突出させた状態で固定するカメラ収容部と、前記車両用カメラ取付け孔を介し前記外側取付けパネルの前記突出片先端の前記嵌合い部が嵌る被嵌合い部と、を有することを特徴とする車両用カメラ取付けブラケットである。
ここで、前記外側取付けパネルの前記突出片は、当該外側面部裏側の中央から偏心した位置から延びて設けられており、前記外側取付けパネルの前記外側面部の形状は、上下非対称とする、ようにしても良い。
また、前記車両用カメラの後部には、ネジ孔が形成されている一方、前記内側取付けパネルにおける前記車両用カメラ収容部の底面には、前記車両用カメラの後部の前記ネジ孔に対応する位置に、ネジ通し孔が形成されており、前記車両用カメラは、前記ネジ通し孔を介し前記内側取付けパネルにおける前記車両用カメラ収容部の底面に固定される、ようにしても良い。
また、前記内側取付けパネルにおける前記車両用カメラ収容部の左右の両側面には、前記車両用カメラ取付け孔の裏側周辺に当たり、前記内側取付けパネルが車両またはその付属物の外側へ脱落することを防止する脱落防止当り部が形成されている、ようにしても良い。
また、前記内側取付けパネルにおける前記車両用カメラ収容部の左右の両側面先端には、前記車両用カメラ取付け孔の裏側周囲に当たり外側へ突出し、前記車両用カメラ取付け孔に対する前記内側取付けパネルの取り付け位置を案内して決める位置決め突出部が設けられている、ようにしても良い。
また、さらに、前記車両用カメラの取付け角度を調整するため、前記内側取付けパネルにおける前記車両用カメラ収容部の底面と、前記車両用カメラの後部との間に挿入されるスペーサを有し、そのスペーサは、少なくとも、前記車両用カメラの取付け角度を変更するための傾斜面を有する、ようにしても良い。
【発明の効果】
【０００９】
本発明の車両用カメラ取付けブラケットでは、カメラ取付け孔を介し外側から外側取付けパネルと内側から内側取付けパネルとを取り付けると、外側取付けパネルの突出片先端の嵌合い部と内側取付けパネルの被嵌合い部とが嵌まり合って、外側取付けパネルと内側取付けパネルとが連結するので、内側取付けパネルのカメラ収容部に車両用カメラを固定することにより、車両やその付属物に新たにネジ孔を形成することなく、車両用カメラを外側取付けパネルの外側面部に対し斜めに傾けた状態で、かつ、車両用カメラの一部を外側取付けパネルのカメラ用開口部から車両またはその付属物の外側に突出させた状態で簡単かつ確実に取付けることができる。
【図面の簡単な説明】
【００１０】
【図１】（ａ），（ｂ）、それぞれ、本実施の形態の車両用カメラ取付けブラケットを構成する外側取付けパネル、内側取付けパネルの構成を示す斜視図である。
【図２】（ａ）〜（ｄ）、それぞれ、本実施の形態の車両用カメラ取付けブラケット１を構成する外側取付けパネルの構成を示す正面図、平面図、右側面図、左側面図、底面図である。
【図３】（ａ）〜（ｆ）は、それぞれ、本実施の形態の車両用カメラ取付けブラケットを構成する外側取付けパネルの斜視図、正面図、平面図、右側面図、左側面図、底面図である。
【図４】（ａ）〜（ｆ）は、それぞれ、本実施の形態の車両用カメラ取付けブラケットを構成する内側取付けパネル１２の斜視図、正面図、平面図、右側面図、左側面図、底面図である。
【図５】（ａ），（ｂ）は、それぞれ、本実施の形態の車両用カメラ取付けブラケットを構成するスペーサの斜視図、側面図である。
【図６】車両の後部のバックドアからカメラ取付け孔が形成されてリアガーニッシュを取り外した状態を示す図である。
【図７】（ａ），（ｂ）は、それぞれ、リアガーニッシュのカメラ取付け孔に車両用カメラ取付けブラケットを構成する外側取付けパネルと内側取付けパネルとを取り付ける状態を示す図、リアガーニッシュのカメラ取付け孔を表側（外側）から見た図である。
【図８】外側取り付けパネルと内側取り付けパネルとがカメラ取付け孔を介し連結された状態を示す側面図である。
【図９】バックビューカメラの後端のネジ孔に内側取り付けパネルの底面のネジ孔を介して、ネジを取り付ける状態を示す図である。
【図１０】バックビューカメラの後端を内側取り付けパネルの底面に固定した状態を示す図である。
【図１１】バックビューカメラの取付け角度を変更するためスペーサをバックビューカメラの後端と内側取り付けパネルの底面との間に挿入した例を示す図である。
【図１２】リアガーニッシュに車両用カメラ取付けブラケットを取り付け、その後バックビューカメラを取り付けた状態を示す図である。
【発明を実施するための形態】
【００１１】
次に、本発明の車両用カメラ取付けブラケットの実施の形態について、図面を参照して説明する。
【００１２】
（構成の説明）
図１は、車両３後部のリアゲート（バックドア）３１のリアガーニッシュ３２に、本実施の形態の車両用カメラ取付けブラケット１を取り付け、その車両用カメラ取付けブラケット１に、車両用カメラであるバックビューカメラ２を取り付けた外観を示す斜視図、図２は、図１に示すバックビューカメラ２を取り付けた車両用カメラ取付けブラケット１を拡大して示す拡大斜視図の一例である。
【００１３】
バックビューカメラ２が取り付けられる車両用カメラ取付けブラケット１は、図１に示すように、例えば、車両３後部のリアゲート（バックドア）３１のリアガーニッシュ３２に取り付けられるもので、図２に示すように、リアガーニッシュ３２の表側（外側）から取り付けられる外側取付けパネル１１と、リアガーニッシュ３２の裏側（内側）から取り付けられる内側取付けパネル１２とを少なくとも有して構成されている。そのため、図１および図２には、図示しないが、リアガーニッシュ３２には、後述するように、車両用カメラ取付けブラケット１とバックビューカメラ２とが収まるカメラ取付け孔３２ａが形成されている。なお、車両用カメラ取付けブラケット１を構成する外側取付けパネル１１や、内側取付けパネル１２、後述するスペーサ１３等は、ＡＢＳ樹脂等の硬質のプラスチック製である。
【００１４】
そして、バックビューカメラ２は、後述するように、バックビューカメラ２の後端部側が、リアガーニッシュ３２に取り付けられた車両用カメラ取付けブラケット１の内側取付けパネル１２にネジにより固定される。なお、内側取付けパネル１２に対するバックビューカメラ２の固定方法は、本実施の形態ではネジにより説明するが、本発明では、ネジに限定されるものではなく、ネジ以外のピンや凹凸部等による嵌め合いにより固定されるものであれば良い。
【００１５】
その結果、バックビューカメラ２は、図１、図２に示すように、バックビューカメラ２の先端部下側が、車両用カメラ取付けブラケット１の外側取付けパネル１１から斜めに突出するような状態で取り付けられることになる。
【００１６】
図３（ａ）〜（ｆ）は、それぞれ、本実施の形態の車両用カメラ取付けブラケット１を構成する外側取付けパネル１１の斜視図、正面図、平面図、右側面図、左側面図、底面図、図４（ａ）〜（ｆ）は、それぞれ、本実施の形態の車両用カメラ取付けブラケット１を構成する内側取付けパネル１２の斜視図、正面図、平面図、右側面図、左側面図、底面図である。
【００１７】
外側取り付けパネル１１は、図３（ａ）〜（ｆ）に示すように、バックビューカメラ２の先端側を突出させて挿入させるカメラ用開口部１１ａを有すると共に、リアガーニッシュ３２のカメラ取付け孔３２ａの表側周囲であって、かつ、リアガーニッシュ３２の外側に露出して配置される外側面部１１ｂと、外側面部１１ｂの裏側から延び、カメラ取付け孔３２ａを介しリアガーニッシュ３２の内側（裏側）まで突出する突出片１１ｃ，１１ｃとを有する。ここで、外側取り付けパネル１１の突出片１１ｃ，１１ｃは、図３（ａ），（ｃ）〜（ｅ）に示すように、外側面部１１ｂの裏側の中央からではなく、図３（ｃ）に示す場合であれば外側面部１１ｂの裏側の中央より若干下方に偏心した位置から立設されている。これは、後述する図４（ａ），（ｃ）〜（ｆ）に示すように、内側取り付けパネル１２の底面１２ａには２箇所のネジ孔２１，２１を設ける必要があるからであり、内側取り付けパネル１２の底面１２ａの強度を確保する点や、スペースの点等から、内側取り付けパネル１２の両側面１２ｂ，１２ｂには、内側取り付けパネル１２の底面１２ａに形成された２箇所のネジ孔２１，２１を避けて被嵌合い部１２ｂ１，１２ｂ１を形成する必要があるからである。したがって、本実施の形態では、外側取り付けパネル１１および内側取り付けパネル１２に、上下が存在することになる。
【００１８】
そのため、外側取り付けパネル１１が誤って上下逆に装着されないように、外側取り付けパネル１１の外側面部１１ｂの外周縁形状を、図３（ｃ），（ｆ）等に示すように、上下非対称に形成している。つまり、図３（ｃ）の平面図であれば、上下方向中央より下側が膨張した上下非対称形状に形成し、図４（ｆ）の底面図であれば、上下方向中央より上側が膨張した上下非対称形状に形成し、上下を間違えて取り付けることを防止するようにしている。これにより、外側取り付けパネル１１を上下逆に取り付けることを防止することができる。なお、本実施の形態では、図３（ｃ），（ｆ）等に示す外側取り付けパネル１１の外側面部１１ｂの外周縁形状のように、リアガーニッシュ３２のカメラ取付け孔３２ａの表側周囲も、後述する図７（ｂ）等に示すように、非対称の形状に窪んた窪み部３２ｃが形成されている。これにより、外側取り付けパネル１１の外側面部１１ｂの外周縁形状をその窪み部３２ｃの形状に合わせて非対称の形状に形成することにより、さらに、外側取り付けパネル１１を上下逆に取り付けることを防止することが可能となる。
【００１９】
そして、その突出片１１ｃ，１１ｃの先端には、内側取り付けパネル１２に形成された後述する被嵌合い部１２ｂ１，１２ｂ１に挿入されて嵌まり合う嵌合い部１１ｄ，１１ｄが形成されている。
【００２０】
なお、本実施の形態では、リアガーニッシュ３２のカメラ取付け孔３２ａには、バックビューカメラ２を使用しないユーザのために、後述するように、カメラ取付け孔カバー３２ｂ（図６参照。）が取り付けられ、塞がれている。そして、カメラ取付け孔３２ａにカメラ取付け孔カバー３２ｂが取り付けられた状態では、リアガーニッシュ３２の外表面とカメラ取付け孔カバー３２ｂの外表面とが面一になるように、リアガーニッシュ３２のカメラ取付け孔３２ａの表側周囲には、カメラ取付け孔カバー３２ｂの形状および厚さに応じた窪み部３２ｃが形成されている。したがって、本実施の形態では、外側取り付けパネル１１の外側面部１１ｂの形状および厚さを、カメラ取付け孔カバー３２ｂの形状および厚さとほぼ同じにしており、カメラ取付け孔３２ａに外側取り付けパネル１１を取り付けた際に、リアガーニッシュ３２の外表面と外側取り付けパネル１１の外側面部１１ｂの外表面とがほぼ面一になるようにしており、外観上の見栄えを向上させることができる。
【００２１】
また、外側取り付けパネル１１の外側面部１１ｂの形状およびリアガーニッシュ３２のカメラ取付け孔３２ａの表側周囲の窪み部３２ｃの形状が、図３（ｃ），（ｆ）等に示すように、上部より下部の方が、あるいは下部より上部の方が太い上下方向非対称の形状に形成されており、リアガーニッシュ３２の外表面と外側取り付けパネル１１の外側面部１１ｂの外表面とがほぼ面一になるように嵌まり合うので、この点でも、外側取り付けパネル１１の外側面部１１ｂを上下逆に取り付けることを簡単かつ確実に防止することができる。
【００２２】
一方、内側取り付けパネル１２は、バックビューカメラ２を所定の取付け角度でその先端下側が突出するように収容するもので、図４（ａ）〜（ｆ）に示すように、カメラ取付け孔３２ａの裏側周囲に配置され、バックビューカメラ２を収容する底面１２ａ、左右の両側面１２ｂ，１２ｂ、および上側面１２ｃからなるカメラ収容部１２１を有する。なお、底面１２ａがリアガーニッシュ３２となす角度は、バックビューカメラ２の取付け角度に基づいて、予め決まっている。そのため、バックビューカメラ２の取付け角度を確実に設定することができる。なお、本実施の形態では、バックビューカメラ２の取付け角度を変更する場合には、後述するように、スペーサ１３を使用する。
【００２３】
内側取り付けパネル１２の底面１２ａには、バックビューカメラ２後端の２箇所のネジ孔２１，２１に対応する位置に、ネジ通し孔１２ａ１，１２ａ１が形成されている一方、底面１２ａの中央には、バックビューカメラ２後端に接続された配線２２（図９，図１０参照。）を通すための配線用開口部１２ａ２が形成されている。なお、バックビューカメラ２の上側面や両側面にネジ孔２１，２１が形成されている場合には、内側取り付けパネル１２の底面１２ａではなく、内側取り付けパネル１２の対応する上側面１２ｃや両側面１２ｂ，１２ｂにネジ通し孔１２ａ１，１２ａ１を形成するようにする。
【００２４】
また、内側取り付けパネル１２の左右両側面１２ｂ，１２ｂには、図４（ａ），（ｃ）〜（ｆ）に示すように、それぞれ、外側取り付けパネル１１の一対の突出片１１ｃ，１１ｃ先端の嵌合い部１１ｄ，１１ｄが嵌まり合う被嵌合い部１２ｂ１，１２ｂ１が形成されている。
【００２５】
さらに、内側取り付けパネル１２の左右両側面１２ｂ，１２ｂの先端には、図４（ａ）〜（ｆ）に示すように、それぞれ、カメラ取付け孔３２ａの裏側周囲に当たり、外側取り付けパネル１１がカメラ取付け孔３２ａから脱落等しないように、脱落防止当り部１２ｂ２，１２ｂ２も形成されている。これにより、内側取り付けパネル１２の脱落を防止することができ、引いては内側取り付けパネル１２にネジ止めするリアビューカメラ２の脱落を防止することができる。
【００２６】
またさらに、内側取り付けパネル１２の左右両側面１２ｂ，１２ｂの先端には、図４（ａ），（ｂ），（ｄ）〜（ｆ）に示すように、それぞれ、カメラ取付け孔３２ａの内縁周囲に当たり、カメラ取付け孔３２ａの内部まで突出し、カメラ取付け孔３２ａに対する内側取付けパネル１２の取り付け位置を案内して決める位置決め突出部１２ｂ３，１２ｂ３が設けられている。これにより、簡単に内側取付けパネル１２をカメラ取付け孔３２ａに取り付けることができる。ここで、本実施の形態では、位置決め突出部１２ｂ３，１２ｂ３の外側面の形状は、カメラ取付け孔３２ａの内周縁形状に応じて、図４（ｆ）に示すように、上下方向中央より下側が膨張した上下非対称形状に形成している。これにより、内側取り付けパネル１２も、外側取り付けパネル１１と同様に、カメラ取付け孔３２ａに対し上下逆に取り付けることを防止することができる。従って、カメラ取付け孔３２ａの内周縁形状も、図７（ｂ）に示すように、カメラ取付け孔３２ａの表側周囲の窪み部３２ｃの非対称形状と同様に、車両３に遠い図上上側より、車両３に近い図上下側の方が膨張した非対称形状に形成している。なお、図８の場合であれば、カメラ取付け孔３２ａの内周縁形状は、車両３に遠い側となる図上左側より、車両３に近い側となる図上右側の方が膨張した非対称形状に形成されることになる。
【００２７】
図５（ａ），（ｂ）は、それぞれ、本実施の形態の車両用カメラ取付けブラケット１を構成するスペーサ１３の斜視図、側面図である。
【００２８】
本実施の形態の車両用カメラ取付けブラケット１では、バックビューカメラ２の取付け角度を変更するため、内側取付けパネル１２におけるカメラ収容部１２１の底面１２ａと、バックビューカメラ２の後端部との間に挿入されるスペーサ１３を設けている。スペーサ１３は、図５（ａ），（ｂ）に示すように、バックビューカメラ２の取付け角度を変更するため傾斜した傾斜面１３ａと、バックビューカメラ２の配線２２を通す開口部１３ｂと、バックビューカメラ２後部のネジ孔２１，２１を避けるように切り欠けられたネジ避け切欠部１３ｃ，１３ｃとを有する。これにより、内側取付けパネル１２におけるカメラ収容部１２１の底面１２ａとバックビューカメラ２の後端部との間にスペーサ１３を挿入しても、開口部１３ｂを介しバックビューカメラ２の配線２２が通ると共に、ネジ避け切欠部１３ｃ，１３ｃを介しネジ２３，２３が通り、傾斜面１３ａの傾斜角度だけ簡単かつ確実にバックビューカメラ２の取付け角度を変更することが可能となる。なお、スペーサ１３は、不要であれば省略しても良いし、必要であれば、取付け角度毎に、傾斜面１３ａの角度が異なるものを複数用意しておくようにしても勿論よい。また、バックビューカメラ２の後端部に、配線２２やネジ孔２１，２１を設けない場合には、開口部１３ｂやネジ避け切欠部１３ｃ，１３ｃは不要である。
【００２９】
（取付け方法の説明）
次に、本実施の形態の車両用カメラ取付けブラケット１を使用して、リアビューカメラ２を、リアガーニッシュ３２に取り付け方法を、図６〜図１２を参照して説明する。
【００３０】
まず、図６に示すように、車両１の後部のリアゲート（バックドア）３１から、カメラ取付け孔３２ａが形成されているリアガーニッシュ３２を取り外す。
【００３１】
そして、リアガーニッシュ３２のカメラ取付け孔３２ａには、図６に示すように、カメラ取付け孔カバー３２ｂが取り付けられているので、カメラ取付け孔カバー３２ｂを取り外して、カメラ取付け孔３２ａ（図７（ｂ）参照。）を露出させる。
【００３２】
次に、図７（ａ）に示すように、カメラ取付け孔カバー３２ｂが取り外されたリアガーニッシュ３２のカメラ取付け孔３２ａに、リアガーニッシュ３２の外側から外側取り付けパネル１１を突出片１１ｃ，１１ｃ側を先頭に取り付ける一方、リアガーニッシュ３２の裏側から内側取り付けパネル１２を取り付ける。その際、図７（ｂ）に示すように、リアガーニッシュ３２のカメラ取付け孔３２ａの内周縁形状は、カメラ取付け孔３２ａの表側周囲の窪み部３２ｃの外周縁形状と同様に、車両３に遠い図上上側より、車両３に近い図上下側の方が膨張した非対称形状に形成されている。そのため、本実施の形態では、内側取り付けパネル１２の位置決め突出部１２ｂ３，１２ｂ３の外側面の形状をカメラ取付け孔３２ａの内周縁形状に合わせて非対称の形状にすると共に、外側取り付けパネル１１の外側面部１１ｂの外周縁形状をカメラ取付け孔３２ａの表側周囲の窪み部３２ｃの形状に合わせて非対称の形状に形成しているので、カメラ取付け孔３２ａに対し内側取り付けパネル１２と外側取り付けパネル１１とを上下逆に取り付けることを簡単かつ確実に防止することができる。
【００３３】
そして、図８に示すように、外側取り付けパネル１１の突出片１１ｃ，１１ｃの嵌合い部１１ｄ，１１ｄを、それぞれ、内側取り付けパネル１２の左右両側面１２ｂ，１２ｂに形成された被嵌合い部１２ｂ１，１２ｂ１に挿入すると、外側取付けパネル１１および内側取付けパネル１２は、ＡＢＳ樹脂等のプラスチック製から構成されているので、突出片１１ｃ，１１ｃが互いに向かい合う内側方向に撓み、突出片１１ｃ，１１ｃ先端の嵌合い部１１ｄ，１１ｄが内側取り付けパネル１２の左右両側面１２ｂ，１２ｂに形成された被嵌合い部１２ｂ１，１２ｂ１に嵌まると、突出片１１ｃ，１１ｃが外側方向に戻り、突出片１１ｃ，１１ｃ先端の嵌合い部１１ｄ，１１ｄが内側取り付けパネル１２の被嵌合い部１２ｂ１，１２ｂ１に嵌まり合うことになる。これにより、外側取り付けパネル１１と内側取り付けパネル１２とを、ネジなどを使用せずに、リアガーニッシュ３２のカメラ取付け孔３２ａを介しリアガーニッシュ３２の表側と裏側とから取り付けるだけで、簡単に連結できることになる。しかも、カメラ取付け孔３２ａの表側周囲には、表側から外側取り付けパネル１１の外側面部１１ｂが当たっている一方、カメラ取付け孔３２ａの裏側周縁には、裏側から内側取り付けパネル１２の脱落防止当り部１２ｂ２，１２ｂ２が当たっており、プラスチック製の外側取り付けパネル１１の外側面部１１ｂと内側取り付けパネル１２の脱落防止当り部１２ｂ２，１２ｂ２とがカメラ取付け孔３２ａの周縁を挟んでいるので、リアガーニッシュ３２から外側取り付けパネル１１と内側取り付けパネル１２とが外れることを簡単かつ確実に防止することができる。
【００３４】
なお、図８に示すようにリアガーニッシュ３２のカメラ取付け孔３２ａを介して連結された外側取り付けパネル１１と内側取り付けパネル１２とを取外す場合には、内側取り付けパネル１２の左右両側面１２ｂ，１２ｂの被嵌合い部１２ｂ１，１２ｂ１に嵌め合いされた外側取り付けパネル１１の嵌合い部１１ｄ，１１ｄを互いに近付く方向に（図８に示す嵌合い部１１ｄであれば、紙面に対し表側から裏側の方向へ、後述する図１０に示す嵌合い部１１ｄ，１１ｄであれば、紙面において左右両方向から互いに近付く方向に）押し込むようにする。すると、嵌合い部１１ｄ，１１ｄが被嵌合い部１２ｂ１，１２ｂ1から外れ、簡単に外側取り付けパネル１１と内側取り付けパネル１２とを離して取外すことができる。ただし、この取り外しを行う場合には、後述する図１１等に示すように、車両３後部のリアゲート（バックドア）３１からリアガーニッシュ３２を取外す必要があり、リアゲート（バックドア）３１にリアガーニッシュ３２が取り付けられた状態では、外側取り付けパネル１１と内側取り付けパネル１２とがＡＢＳ樹脂等のプラスチック製から構成されていることもあって、外側取り付けパネル１１と内側取り付けパネル１２とを取外すことはできない。これにより、車両用カメラ取付けブラケット１およびリアビューカメラ２の脱落や盗難等を、簡単かつ確実に防止することができる。
【００３５】
しかも、図８に示すように、カメラ取付け孔３２ａの外側周縁には、外側取り付けパネル１１左右の両側面１２ｂ，１２ｂが表側から当たっている一方、カメラ取付け孔３２ａの裏側周縁には、内側取り付けパネル１２の左右両側面１２ｂ，１２ｂの脱落防止当り部１２ｂ２，１２ｂ２が裏側から当たっているので、外側取り付けパネル１１と内側取り付けパネル１２とから構成される車両用カメラ取付けブラケット１を、ネジ等を使用せずに、簡単にリアガーニッシュ３２に固定できることになる。
【００３６】
そして、図９に示すように、リアガーニッシュ３２に固定された車両用カメラ取付けブラケット１に、バックビューカメラ２をリアガーニッシュ３２の外側から、すなわち外側取り付けパネル１１側から挿入する。
【００３７】
そして、図９および図１０に示すように、バックビューカメラ２の後端のネジ孔２１，２１に、内側取り付けパネル１２の底面１２ａのネジ通し孔１２ａ１，１２ａ１を介して、ネジ２３，２３によりネジ止めして取り付ける。これにより、簡単かつ確実にバックビューカメラ２をリアガーニッシュ３２に所定の取付け角度で取付けることができると共に、バックビューカメラ２取り付け状態では、表側（外側）からネジ２３，２３が見えず表側（外側）に現れないので、ネジ２３，２３に雨水等が伝わることを極力防止でき、錆や腐食等の発生や、バックビューカメラ２の盗難等を簡単かつ確実に防止することができる。
【００３８】
すると、図１１に示すように、車両３後部のリアゲート（バックドア）３１のリアガーニッシュ３２に、本実施の形態の車両用カメラ取付けブラケット１を取り付け、その車両用カメラ取付けブラケット１にバックビューカメラ２を取り付けることができるので、車両用カメラ取付けブラケット１を介しバックビューカメラ２が取り付けられたリアガーニッシュ３２を車両３後部のリアゲート（バックドア）３１に取り付けて戻すことにより、カメラ取り付け作業が完了する。
【００３９】
なお、バックビューカメラ２の取付け角度を変更したい場合には、図１２に示すように、リアガーニッシュ３２に固定された車両用カメラ取付けブラケット１の内側取り付けパネル１２の底面１２ａと、バックビューカメラ２の後端との間に、図５に示すように傾斜面１３ａを有するスペーサ１３を挿入する。このようにすれば、簡単かつ確実にバックビューカメラ２の取付け角度を変更することができる。
【００４０】
従って、本実施の形態の車両用カメラ取付けブラケット１によれば、リアガーニッシュ３２に形成されたカメラ取付け孔３２ａを介し、その表側から外側取付けパネル１１の裏側から延びる突出片１１ｃ，１１ｃ先端の嵌合い部１１ｄ，１１ｄを、その裏側に配置した内側取付けパネル１２の被嵌合い部１２ｂ１，１２ｂ１に挿入して連結し、さらに外側取付けパネル１１のカメラ用開口部１１ａからバックビューカメラ２を挿入して内側取付けパネル１２のカメラ収容部１２１に収容し、バックビューカメラ２をカメラ収容部１２１の所定の取付け角度に設定された底面１２ａにネジ２３，２３によりネジ止めして取り付けるようにしたので、車両３やリアガーニッシュ３２等の車両３の付属物に新たにネジ孔を形成することなく、バックビューカメラ２を所定の取付け角度で簡単かつ確実に取付けることができる。
【００４１】
特に、本実施の形態の車両用カメラ取付けブラケット１では、外側取付けパネル１１の突出片１１ｃ，１１ｃは、外側面部１１ｂ裏側の中央から偏心した位置から延びて設けられており、外側取付けパネル１１の外側面部１２ｂの形状は、上下非対称としたので、外側取付けパネル１１の突出片１１ｃ，１１ｃが外側面部１１ｂ裏側の中央から偏心した位置に設けられていても、外側取付けパネル１１の外側面部１２ｂの上下非対称形状により、外側取付けパネル１１をカメラ取付け孔３２ａに対し間違えて上下逆に取り付けることを、簡単かつ確実に防止することができる。
【００４２】
また、本実施の形態の車両用カメラ取付けブラケット１では、バックビューカメラ２の後端部に、ネジ孔２１，２１が形成されている一方、内側取付けパネル１２におけるカメラ収容部１２１の底面１２ａ１には、バックビューカメラ２の後端部のネジ孔２１，２１に対応する位置に、ネジ通し孔１２ａ１，１２ａ１が形成されており、バックビューカメラ２は、ネジ通し孔１２ａ１，１２ａ１を介し内側取付けパネル１２におけるカメラ収容部１２１の底面にネジ２３，２３により固定するようにしたので、簡単かつ確実にバックビューカメラ２を取付けることができると共に、バックビューカメラ２の取り付け状態では、表側（外側）からネジ２３，２３が見えず現れないので、ネジ２３，２３に雨水等が伝わることを極力防止でき、ネジ２３，２３の錆や腐食等の発生や、バックビューカメラ２の盗難等を簡単かつ確実に防止することができる。
【００４３】
また、本実施の形態の車両用カメラ取付けブラケット１では、内側取付けパネル１２におけるカメラ収容部１２１の左右の両側面１２ｂ１，１２ｂ１先端には、カメラ取付け孔３２ａの裏側周辺に当たり、内側取付けパネル１２がリアガーニッシュ３２の外側へ脱落することを防止する脱落防止当り部１２ｂ２，１２ｂ２が形成されているので、車両用カメラ取付けブラケット１に固定したバックビューカメラ２がリアガーニッシュ３２の外側へ脱落したり、取り外されたりすることを簡単かつ確実に防止することができる。
【００４４】
また、本実施の形態の車両用カメラ取付けブラケット１では、内側取付けパネル１２におけるカメラ収容部１２１の左右の両側面１２ｂ１，１２ｂ１先端には、カメラ取付け孔３２ａの裏側周囲に当たり外側へ突出し、カメラ取付け孔３２ａに対する内側取付けパネル１２の取り付け位置を案内して決める位置決め突出部１２ｂ３，１２ｂ３が設けられているので、内側取付けパネル１２を簡単かつ確実に取り付けることができる。特に、本実施の形態では、位置決め突出部１２ｂ３，１２ｂ３の形状も上下非対称形状としているので、取付け方向性のある内側取付けパネル１２を誤って上下逆に取り付けることを防止することができる。
【００４５】
また、本実施の形態の車両用カメラ取付けブラケット１では、バックビューカメラ２の取付け角度を変更するため、内側取付けパネル１２におけるカメラ収容部１２１の底面１２ａと、バックビューカメラ２の後端部との間に挿入されるスペーサ１３を設け、そのスペーサ１３は、バックビューカメラ２の取付け角度を変更する傾斜面１３ａと、バックビューカメラ２の配線２２を通す開口部１３ｂと、バックビューカメラ２後部のネジ孔２１，２１を避けるように切り欠けられたネジ避け切欠部１３ｃ，１３ｃとを有するので、簡単かつ確実にバックビューカメラ２の取付け角度を変更することができる。
【００４６】
なお、前記実施の形態の説明では、車両用カメラとして、例えば、車両３の後方を撮影するバックビューカメラ２を一例に説明したが、本発明の車両用カメラ取付けブラケットは、バックビューカメラ２だけでなく、車両３の側方を撮影するサイドビューカメラや、車両の前方を撮影するフロントビューカメラを車両またはその付属物に取り付けるための車両用カメラ取付けブラケットについても同様に適用されるものである。
【符号の説明】
【００４７】
１  車両用カメラ取付けブラケット
１１  外側取付けパネル
１１ａ  カメラ用開口部
１１ｂ  外側面部
１１ｃ，１１ｃ  突出片
１１ｄ，１１ｄ  嵌合い部
１２  内側取付けパネル
１２１  カメラ収容部
１２ａ  底面
１２ａ１，１２ａ１  ネジ通し孔
１２ａ２  配線用開口部
１２ｂ，１２ｂ  左右の両側面
１２ｂ１，１２ｂ１  被嵌合い部
１２ｂ２，１２ｂ２  脱落防止当り部
１２ｂ３，１２ｂ３  位置決め突出部
１２ｃ  上側面
１３  スペーサ
１３ａ  傾斜面
１３ｂ  開口部
１３ｃ，１３ｃ  ネジ避け切欠部
２  バックビューカメラ
２１，２１  ネジ孔
２２  配線
２３，２３  ネジ
３  車両
３１  リアゲート（バックドア）
３２  リアガーニッシュ
３２ａ  カメラ取付け孔
３２ｂ  カメラ取付け孔カバー
３２ｃ  窪み部
【図１】
0005645611.tif 000002
【図２】
0005645611.tif 000003
【図３】
0005645611.tif 000004
【図４】
0005645611.tif 000005
【図５】
0005645611.tif 000006
【図６】
0005645611.tif 000007
【図７】
0005645611.tif 000008
【図８】
0005645611.tif 000009
【図９】
0005645611.tif 000010
【図１０】
0005645611.tif 000011
【図１１】
0005645611.tif 000012
【図１２】
0005645611.tif 000013